(57)【要約】      （修正有）【課題】傘を閉じる時、占用空間を更に小さくし、携帯及び収納を便利にさせる円弧状を呈し、かつ折たたみ体積が縮小された折たたみ傘構造を提供する。【解決手段】傘スタンド３０は、複数の分岐主骨３１、支骨、第１細骨３３、中間骨３４、第２細骨３７、末端骨３８を含む。中間骨３４の棒体の両端にはそれぞれ第１枢支台３５と第２枢支台３６が設けられて、それぞれ主骨３１、末端骨３８に設けられた第３枢支台３９に連結される。下ろくろには各支骨に対応して複数の収容凹部が設けられて、各支骨を枢設し、これにより、折たたみ傘の傘面全体が円弧状になり、折たたみ体積を縮小して、便利に携帯と収容することができる。【選択図】図２
0003188117.tif 000002
【実用新案登録請求の範囲】
【請求項１】
中棒と傘面から構成され、該傘面はそれぞれ上ろくろ及び下ろくろにより該中棒に結合され、かつ該下ろくろを移動させて該傘面を開閉し、該傘面は傘スタンドと傘布から構成されている円弧状を呈し、かつ折たたみ体積が縮小された折たたみ傘構造において、
該傘スタンドは少なくとも複数の分岐主骨、支骨、第1細骨、中間骨、第2細骨、末端骨を含み、該中間骨の両端にはそれぞれ第1枢支台、第2枢支台が設けられて、それぞれ該主骨、末端骨に設けられた第3枢支台と接続されており、該第3枢支台は上挿込み孔、内下回動孔と外下回動孔からなり、該上挿込み孔は全体ベースに対して比較的高い位置に設けられ、該外下回動孔は該第2枢支台に枢着され、該内下回動孔は該第2細骨に嵌合する、ことを特徴とする折たたみ傘構造。
【請求項２】
該第2枢支台と第3枢支台は上下に対応、かつ組合せ枢着して設けられており、第2枢支台は下挿込み孔と上回動孔を更に含み、該第2枢支台の下挿込み孔は全体ベースに対して比較的低い位置に設けられている、請求項１に記載の折たたみ傘構造。
【請求項３】
該第3枢支台と第2枢支台の枢着箇所は透かし状態になり、かつ該第3枢支台の内下回動孔には第2細骨を設けるための第3凹部が設置され、該第3枢支台の外下回動孔には第2枢支台の上回動孔を設けるための第4凹部が設置されている、請求項１または請求項２に記載の折たたみ傘構造。
【請求項４】
該第1枢支台は下挿込み孔、内上回動孔と外上回動孔からなり、該第1枢支台の下挿込み孔はその全体ベースに対して比較的低い位置に設けられている、請求項１に記載の折たたみ傘構造。
【請求項５】
該内上回動孔には該第1細骨を設けるための第1凹部が設置され、該外上回動孔には該主骨を設けるための第2凹部が設置されている、請求項４に記載の折たたみ傘構造。
【請求項６】
該中間骨、末端骨の棒体は偏平状、丸棒状または半丸棒状に設けられている、請求項１に記載の折たたみ傘構造。
【請求項７】
該下ろくろは複数段差と複数角を有する管体に設けられ、かつ比較的大きい多角体の頂端、底端にはそれぞれ上下に比較的小さい多角体が延伸されており、該比較的大きい多角体と該支骨には該傘スタンドに設けられた支骨を枢設させるための複数の収容奥部が設けられ、かつ該中棒の横断面は円管状、または該下ろくろに対応する形状に設けられている、請求項１に記載の折たたみ傘構造。
【請求項８】
該支骨の横断面は冂型に設けられて冂型溝を形成し、かつ第1枢支台に対応する外上枢設孔、内上枢設孔にはそれぞれ上凹部、下凹部が設けられている、請求項１に記載の折たたみ傘構造。
【請求項９】
該第2細骨の一端と該主骨の枢設端は水平フック部に設けられている、請求項1に記載の折たたみ傘構造。
【請求項１０】
該中間骨と該第2細骨の中間は締付部材により締付・覆われている、請求項１、２、４、５、６、７、８、９に記載の折たたみ傘構造。
【考案の詳細な説明】
【技術分野】
【０００１】
本考案は折たたみ傘に関し、更には、折たたみ体積を縮小させて便利に携帯と収納ができる折たたみ傘に関する。
【背景技術】
【０００２】
現在の傘具は直傘と折たたみ傘に分けられ、折たたみ傘は体積が小さく、容易に携帯できる便利さを有しているため、学生とサラリーマンから好感を受けられている。図6は、通常の従来式折たたみ傘9を示している。
【０００３】
図6及び図7は、従来式折たたみ傘9の傘骨構造90を示しており、該傘骨構造90は複数の分岐主骨91、支骨92、中間骨93、末端骨94、第1細骨95及び第2細骨96から構成され、傘布97は該傘骨構造90の上面に設けられている。該主骨91、支骨92はそれぞれ中棒の上ろくろ99及び下ろくろ98に枢着され、かつ中間骨93は該第2細骨96により巻回されており、中間骨93の両端にはそれぞれ該主骨91及び末端骨94が連結されており、該主骨91、支骨92、中間骨93及び第1細骨95により四節リンク機構を構成し、これにより、下ろくろ98を引張る場合、該主骨91と支骨92が相互に接近又は離れることで、傘を開くまたは折たたむことができる。
【０００４】
但し、前記中間骨93と末端骨94の間には回動台100が設けられ、該回動台100は中間骨93、末端骨94及び第2細骨96を枢着するため、該回動台100の長さが長くて大きくなり、そのため、傘を開く場合、即ち、各主骨91、支骨92、中間骨93、末端骨94、第1細骨95及び第2細骨96が開かれる時、該回動台100は傘布97を突出させている（図6を参照）。該傘布97は複数の突出点971、透かし領域を有し、かつ兀型になり、比較的美しくなく、積水が容易に発生する。同じく、該主骨91と中間骨93の回動台100aも回動台100と同じ状況が発生する。
【０００５】
また、図8及び図9に示されたように、前記下ろくろ98、支骨92、第1細骨95、主骨91、中間骨93、第2細骨96、末端骨94の配置は、従来式折たたみ傘9を折たたむ時、該円形状の下ろくろ98、冂型の支骨92、第1細骨95、冂型の主骨91、第2細骨96、円形状の中間骨93、円形状の末端骨94、傘布97が積層され、これにより、該従来式折たたみ傘9の折たたんだ後の幅Bが依然として広くなって、携帯が容易でないため、改善する必要があった。
【考案の概要】
【考案が解決しようとする課題】
【０００６】
前記従来式折たたみ傘9の傘骨構造90の問題点に鑑みて、本考案の主な目的は、折たたみ傘の傘面全体が円弧状になる折たたみ傘を提供する。本考案の更なる目的は、傘を折たたむ時、占用空間を更に小さくし、便利に携帯及び収納ができる折たたみ傘を提供する。
【課題を解決するための手段】
【０００７】
上述の目的を達するため、本考案は、中棒及び傘面から構成され、円弧状を呈し、かつ、折たたみ体積が縮小された折たたみ傘構造を提供する。該傘面は上ろくろ及び下ろくろにより該中棒に結合され、かつ該下ろくろを移動させて該傘面を開閉し、該傘面は傘スタンド及び傘布から構成され、該傘スタンドは少なくとも複数の分岐主骨、支骨、第1細骨、中間骨、第2細骨、末端骨を含み、該中間骨の両端にはそれぞれ第1枢支台、第2枢支台が設けられて、それぞれ該主骨、末端骨に設けられた第3枢支台に連結され、該第3枢支台は上挿込み孔、内下回動孔と外下回動孔からなり、該上挿込み孔は全体ベースに対して比較的高い位置に設定けられており、該外下回動孔は該第2枢支台に枢着され、該内下回動孔に該第2細骨が嵌合されている。
【０００８】
前記該第2枢支台と第3枢支台は上下に対応し、かつ組合せ枢着して設けられており、第2枢支台は下挿込み孔と上回動孔を更に含み、該第2枢支台の下挿込み孔は全体ベースに対して比較的低い位置に設けられている。
【０００９】
前記該第3枢支台と第2枢支台の枢着箇所は透かし状態になり、該第3枢支台の内下回動孔には第2細骨を設けるための第3凹部が設置され、該第3枢支台の外下回動孔には第2枢支台の上回動孔を設けるための第4凹部が設置されている。
【００１０】
前記第1枢支台は下挿込み孔、内上回動孔と外上回動孔からなり、該第1枢支台の下挿込み孔は全体ベースに対して比較的低い位置に設けられている。
【００１１】
前記内上回動孔には該第1細骨を設けるための第1凹部が設置され、該外上回動孔には該主骨を設けるための第2凹部が設置されている。
【００１２】
前記中間骨、末端骨の棒体は偏平状、丸棒状または半丸棒状に設けられている。
【００１３】
前記下ろくろは複数段差と複数角を有する管体に設けられ、かつ比較的大きい多角体の頂端、底端にはそれぞれ比較的小さい多角体62が上下に延伸されており、該比較的大きい多角体と該支骨には該傘スタンドに設けられている支骨を枢設するための収容凹部が設置され、かつ該中棒の横断面は円環状、または該下ろくろに対応する形状に設けられている。
【００１４】
前記支骨の横断面は冂型に設けられて冂型溝を形成し、第1枢支台に対応する外上枢設孔、内上枢設孔にはそれぞれ上凹部、下凹部が設けられている。
【００１５】
前記第2細骨の一端と該主骨の枢設端は水平フック部に設けられている。
【００１６】
前記中間骨と該第2細骨の中間は締付部材により締付・覆われている。
【００１７】
本考案は上述の構成を用いることで、下記のような効果を有する。
1．本考案の傘スタンドは各中間骨の第1枢支台により対応する各主骨に枢着され、各中間骨の第2枢支台は対応する末端骨の第3枢支台に枢着されており、傘を開いた状態で、本考案の傘布の傘スタンドに加える力により、該末端骨の第3枢支台と該中間骨の第2枢支台に透かし領域が形成されており、該透かし領域の上方の第2細骨は該第3枢支台の内下回動孔の第3凹部内に埋込まれるため、いかなる突出部が発生せず、該傘面の円弧状において、傘を開いた後の傘型がきれいで、円弧状が美しく、かつ積水しにくくなる。
2．本考案は折たたみ傘を折たたむ時、該主骨、中間骨、末端骨が積層されて、対応する下ろくろが多角形に設けられることで、傘を折たたんだ後の体積を更に縮小することができ、該中間骨、末端骨は偏平状に設けられて、傘を折たたんだ後の体積を縮小する効果を有する。
【図面の簡単な説明】
【００１８】
【図１】図1は、本考案の好ましい実施例における傘を開く際の傘骨構造を示す半分断面図である。
【図２】図2は、本考案の好ましい実施例の一部立体組合せ図である。
【図３】図3は、本考案の好ましい実施例の一部立体分解図である。
【図４】図4は、本考案の好ましい実施例の傘を折たたんだ状態の一部平面図である。
【図５】図5は、本考案の図4のV-V断面図である。
【図６】図6は、従来式折たたみ傘の立体外観図である。
【図７】図7は、従来式折たたみ傘の開く際の傘骨構造を示す半分断面図である。
【図８】図8は、従来式折たたみ傘の収める際の傘骨の相互に重なった状態を示す図である。
【図９】図9は、図8のVI-VI断面図である。
【考案を実施するための形態】
【００１９】
先ず、図1から図5に示されたように、本考案における円弧状を呈し、かつ折たたみ体積が小さい折たたみ傘構造1は、中棒10と傘面20から構成され、該傘面20はそれぞれ上ろくろ50と下ろくろ60により該中棒10に結合され、かつ該下ろくろ60の移動により該傘面20を開閉することができ、さらに、該傘面20は傘スタンド30と傘布40から構成され、かつ該傘スタンド30は複数の分岐主骨31、支骨32、第1細骨33、中間骨34、第2細骨37、末端骨38を含み、該中間骨34の棒体の両端にはそれぞれ第1枢支台35と第2枢支台36が設けられて、それぞれ該主骨31、末端骨38に設けられている第3枢支台39と連結されている。該第3枢支台39は上挿込み孔391、内下回動孔392及び外下回動孔393からなり、該上挿込み孔391は全体ベースに比べて比較的高い位置に設けられ、更に、該外下回動孔393は該第2枢支台36に枢着され、該内下回動孔392は該第2細骨37を嵌合させており、これにより、傘面20の円弧状効果を果たすことができる。特に、該第3枢支台39と第1枢支台35はほぼ同じモジュールで、該2つのモジュールは図3に示されたように、上下、左右に逆になっている。
【００２０】
図4、図5に示されたように、更に、該下ろくろ60の横断面は複数段差と複数角を有する管体に設けられ、好ましくは、5〜10角形状(本実施例では八角状)である。比較的大きい多角体61の頂端、底端にはそれぞれ上下に比較的小さい多角体62が延伸され、更に該比較的大きい多角体61と該支骨32には複数の収容凹部611が設けられて、該支骨32を枢設している。特に、該収容凹部611は傘を折たたむ際に、各支骨32を該支骨32に嵌合させ、更に、内部へ収縮され、これにより、本考案の折たたみ傘構造1における傘を折たたんだ後の体積を縮小することができる。特に、該中棒10の横断面は、該下ろくろ60に適合して対応する多角形状で、円形であることが好ましい。
【００２１】
図1から図3に示されたように、前記中間骨34、末端骨38の棒体は偏平状(丸棒状、半丸棒状)に設けられている。該第1枢支台35は下挿込み孔351、内上回動孔352及び外上回動孔353から構成されており、該第1枢支台35の下挿込み孔351は全体ベースに対して比較的低い位置に設置され、該第1枢支台35の内上回動孔352には該第1細骨33を設けるための第1凹部3521が設置され、該外上回動孔353には該主骨31を設けるための第2凹部3531が設置されている。該第2枢支台36は下挿込み孔361と上回動孔362からなり、該第2枢支台36の下挿込み孔361は全体ベースに対して比較的低い位置に設けられており、第3枢支台39は上挿込み孔391、内下回動孔392及び外下回動孔393からなり、該第3枢支台39の上挿込み孔391は全体ベースに対して比較的高い位置に設けられ、かつ該第3枢支台39の内下回動孔392には第2細骨37を設けるための第3凹部3921が設置され、該第3枢支台39の外下回動孔393には第2枢支台36の上回動孔362を設けるための第4凹部3931が設置されている。そのため、該第1枢支台35の下挿込み孔351には該中間骨34の一端が挿入され、その内上回動孔352には該第1細骨33が設けられ、その外上回動孔353には該主骨31が設けられており、該第2枢支台36の下挿込み孔361には該中間骨34の他端が挿入され、その上回動孔362には該第3枢支台39の外下回動孔393が設けられ、該第3枢支台39の上挿込み孔391には該中間骨38の一端が挿入される。本考案は、前記中間骨34、末端骨38の棒体を偏平状、丸棒状または半丸棒状に設置し、かつ第1枢支台35、第2枢支台36及び第3枢支台39に係合する係合組合せ式を用いて、傘を開いた状態で、該傘布40の傘スタンド30に加える力により、該末端骨38の第3枢支台39と該中間骨34の第2枢支台36に透かし領域301を形成させることができ、該透かし領域301の上方の第2細骨37は該第3枢支台39の内下回動孔392の第3凹部3921内にちょうど埋込まれるため、いかなる突然事態が発生しなくなり、更に、該傘面20の円弧状、即ち、本考案における傘を開いた後の傘型が美しくて積水が発生しにくくなる。該傘スタンド30を折たたむ時、該中間骨34、末端骨38、冂型溝320を有する支骨32が互いに重ねる場合、該中間骨34、末端骨38の偏平状または丸棒状が従来の折たたみ傘の丸棒状に比べて折たたまれた傘の体積を更に縮小さることができる（図5を参照）。
【００２２】
図1と図4に示されたように、該主骨31には該第1枢支台35の内上回動孔352に対応して第5凹部311が更に設けられ、第1細骨33と該支骨32の接続部323に対応して第6凹部312が設けられ、該支骨32の横断面は冂字型に設けられて、冂型溝320が形成され、かつ第1枢支台35に対応する外上枢設孔323、内上枢設孔352にはそれぞれ上凹部321、下凹部322が設けられており、傘スタンド30を折たたむ時、該主骨31の第6凹部312は該支骨32の上凹部321、下凹部322に係合することで、該主骨31が該支骨32の冂型溝320内に埋込まれ、これにより、本考案の傘スタンド30を折たたんだ後の傘の体積を更に縮小させることができる。
【００２３】
図2と図3に示されたように、該第2細骨37の一端と該主骨31の枢設端は水平フック部371に設けられ、他端は該第3枢支台39の内下回動孔392に接続され、かつ該中間骨34と該第2細骨37の中間は締付部材70により締付・覆われており、該第2細骨37の水平フック部371が該主骨31の頂面に枢設されているため、該第2細骨37の水平フック部371が非一般の垂直方向ではなく水平方向にすることで、傘スタンド30の開閉が便利になる。
【００２４】
図4と図5に示されたように、前記各群の部材により本考案の折たたみ傘構造1が構成されており、中棒10に位置する該下ろくろ60を下へ引張る時、各支骨32を連動して下へ、垂直に、内部へ収縮させ、かつ背部は該下ろくろ60の比較的小さい多角体62に隣接する。各支骨32及び第1細骨33も対応する主骨31を下へ連動させ、かつ支骨32の冂型溝320内に向かって接近・嵌合することで、各第1細骨33が対応する主骨31、支骨32により構成される空間内に位置する。各主骨31は対応する中間骨34、第2細骨37を連動して下へ、内部へ隣接させて、各中間骨34が対応する主骨31に重なっており、各第2細骨37は該主骨31と中間骨33の間に位置する。各中間骨34及び第2細骨37が対応する末端骨38を連動して、下へ隣接させて該中間骨34に重なるようにし、これにより、該下ろくろ60が多角型管体になって、各支骨32を更に内部に向かって隣接させ、該各棒31の第6凹部312が対応する接続部323に嵌合され、該第1枢設台35の上回動孔352、外上回動孔353がそれぞれ該支骨32の上凹部321、下凹部322に嵌合されることができ、該中間骨34、該末端骨38は偏平状に設けられることで、本考案の傘スタンド30を折たたむ時に、折たたまれた傘の体積(その距離Aが比較的短い)を更に縮小することができる。
【符号の説明】
【００２５】
１  折たたみ傘構造
10  中棒
20  傘面
30  傘スタンド
301  透かし領域
31 主骨
311  第5凹部
312 第6凹部
32  支骨
320  冂型溝
321  上凹部
322  下凹部
323  接続部
33  第1細骨
34  中間骨
35  第1枢支台
351  下挿込み孔
352  内上回動孔
3521  第1凹部
353  外上回動孔
3532  第2凹部
36  第2枢支台
361  下挿込み孔
362  上回動孔
37  第2細骨
371  水平フック部
38  末端骨
39  第3枢支台
391  上挿込み孔
392  内下回動孔
3921  第3凹部
393  外下回動孔
3931  第4凹部
40  傘布
50  上ろくろ
60  下ろくろ
61  比較的大きい多角体
611  収容凹部
62  比較的小さい多角体
70  締付部材  
A  距離
9  従来式折たたみ傘
90  傘骨構造
91  主骨
92  支骨
93  中間骨
94  末端骨
95  第1細骨
96  第2細骨
97  傘布
971  突出点
972  透かし領域
98  下ろくろ
99  上ろくろ
100  回動台
100a  回動台  
B  距離
【図１】
0003188117.tif 000003
【図２】
0003188117.tif 000004
【図３】
0003188117.tif 000005
【図４】
0003188117.tif 000006
【図５】
0003188117.tif 000007
【図６】
0003188117.tif 000008
【図７】
0003188117.tif 000009
【図８】
0003188117.tif 000010
【図９】
0003188117.tif 000011
【手続補正書】
【提出日】平成25年10月25日(2013.10.25)
【手続補正１】
【補正対象書類名】実用新案登録請求の範囲
【補正対象項目名】全文
【補正方法】変更
【補正の内容】
【実用新案登録請求の範囲】
【請求項１】
中棒と傘面から構成され、該傘面はそれぞれ上ろくろ及び下ろくろにより該中棒に結合され、かつ該下ろくろを移動させて該傘面を開閉し、該傘面は傘スタンドと傘布から構成されている円弧状を呈し、かつ折たたみ体積が縮小された折たたみ傘構造において、
該傘スタンドは少なくとも複数の分岐主骨、支骨、第1細骨、中間骨、第2細骨、末端骨を含み、該中間骨の両端にはそれぞれ第1枢支台、第2枢支台が設けられて、それぞれ該主骨、末端骨に設けられた第3枢支台と接続されており、該第3枢支台は上挿込み孔、内下回動孔と外下回動孔からなり、該上挿込み孔は全体ベースに対して比較的高い位置に設けられ、該外下回動孔は該第2枢支台に枢着され、該内下回動孔は該第2細骨に嵌合する、ことを特徴とする折たたみ傘構造。
【請求項２】
該第2枢支台と第3枢支台は上下に対応、かつ組合せ枢着して設けられており、第2枢支台は下挿込み孔と上回動孔を更に含み、該第2枢支台の下挿込み孔は全体ベースに対して比較的低い位置に設けられている、請求項１に記載の折たたみ傘構造。
【請求項３】
該第3枢支台と第2枢支台の枢着箇所は透かし状態になり、かつ該第3枢支台の内下回動孔には第2細骨を設けるための第3凹部が設置され、該第3枢支台の外下回動孔には第2枢支台の上回動孔を設けるための第4凹部が設置されている、請求項１または請求項２に記載の折たたみ傘構造。
【請求項４】
該第1枢支台は下挿込み孔、内上回動孔と外上回動孔からなり、該第1枢支台の下挿込み孔はその全体ベースに対して比較的低い位置に設けられている、請求項１に記載の折たたみ傘構造。
【請求項５】
該内上回動孔には該第1細骨を設けるための第1凹部が設置され、該外上回動孔には該主骨を設けるための第2凹部が設置されている、請求項４に記載の折たたみ傘構造。
【請求項６】
該中間骨、末端骨の棒体は偏平状、丸棒状または半丸棒状に設けられている、請求項１に記載の折たたみ傘構造。
【請求項７】
該下ろくろは複数段差と複数角を有する管体に設けられ、かつ比較的大きい多角体の頂端、底端にはそれぞれ上下に比較的小さい多角体が延伸されており、該比較的大きい多角体と該支骨には該傘スタンドに設けられた支骨を枢設させるための複数の収容奥部が設けられ、かつ該中棒の横断面は円管状、または該下ろくろに対応する形状に設けられている、請求項１に記載の折たたみ傘構造。
【請求項８】
該支骨の横断面は冂型に設けられて冂型溝を形成し、かつ第1枢支台に対応する外上枢設孔、内上枢設孔にはそれぞれ上凹部、下凹部が設けられている、請求項１に記載の折たたみ傘構造。
【請求項９】
該第2細骨の一端と該主骨の枢設端は水平フック部に設けられている、請求項1に記載の折たたみ傘構造。
【請求項１０】
該中間骨と該第2細骨の中間は締付部材により締付・覆われている、請求項１、２、４、５、６、７、８、又は９に記載の折たたみ傘構造。